(57)【要約】【解決課題】遊技盤の背面に付設するセット板を多機種に共用可能にして製造並びに管理を容易にする。【解決手段】板状のセット板主体（１ａ）の中央部分に遊技盤（２）に装着する大型の表示装置類の後部を貫き通す窓（３）を開設し、このセット板主体の前面側に外周縁部に沿って外縁板（６，７，８）を、そして前記窓の開口縁部に沿って内縁板（９）を設けて相対立させ、この前面側に前記窓（３）を囲むようにして上下並びに左右両側部の球誘導通路（１０）を環状をなす如く形成し、その一方セット板主体（１ａ）の背面側には適所に中継基板や制御回路等の基板乃至回路収納ボックスを固定するための取付部（１５，１６，１７）を一体に設けるようにする。【選択図】    図１
2004147674.tif 000002
【特許請求の範囲】
【請求項１】
平面板状をなすセット板主体には略中央部に遊技盤に装着される大型表示装置類の後部を貫き通す窓を開設する一方、該セット板主体の前面側には外周縁部に沿って外縁板を、また前記窓の開口縁部に沿って内縁板を相対立する如く立設して該前面側に前記窓を囲んで上下部の球誘導通路と左右両側部の球誘導通路とを環状に形成し、他方前記セット板主体の背面側には適所に中継基板又は制御回路等の基板乃至回路収納ボックスを固定する取付部を一体に設けてなることを特徴としたパチンコ機のセット板。
【請求項２】
請求項１の記載において、上部球誘導通路に臨む内縁板と下部球誘導通路に臨む外縁板のそれそぞれを左右いずれかの方向に傾け下り勾配を付すことを特徴としたパチンコ機のセット板。
【請求項３】
請求項１又は２の記載において、左右両側部の球誘導通路には入賞球の落下の一時障害となる障害部材を設けてなることを特徴としたパチンコ機のセット板。
【請求項４】
請求項１又は２の記載において、左右両側部の球誘導通路には入賞球の落下の一時障害となる障害部材を着脱自由に装着する装着部を設けてなることを特徴としたパチンコ機のセット板。
【請求項５】
請求項３又は４の記載において、障害部材は球誘導通路内に入賞球の通過が可能な空隙を確保する横巾を有する板状小片であることを特徴としたパチンコ機のセット板。
【発明の詳細な説明】
【０００１】
【発明の属する技術分野】
本発明は、パチンコ機の遊技盤の背面に備えられるセット板に関する。
【０００２】
【従来の技術】
セット板は遊技盤の背面にあって遊技盤の前面に備える入賞装置に飛入した入賞球が遊技盤に穿つ透孔を通して背面側に送り込まれたとき、これを受け入れ、集合を図りながら所定の排出通路に導くもので、集合樋とも称されている。
このセット板は遊技盤に備える全ての入賞装置をカバーするように入賞口等入賞装置が設置される範囲に入賞球を誘導するため球誘導通路を形成している。そして、この通路の終端を一つに集め、前記排出通路に繋ぎ飛入した入賞球を系外に誘導するものとなっている。
【０００３】
しかし、周知の様に遊技盤に設置される入賞装置は形が様々であり、大小の規模も異にし、また設置位置が機種によって異なる等のことから、従来のセット板はその相違に合せて入賞球の誘導通路を異にしたセット板を機種毎に個別に製造してそれぞれ組付けるようにしているのが現状である。。
【０００４】
この機種毎のセット板の製造は、機種そのものが多種に亘り、しかもパチンコ機のデザインの変更に伴って変り、また多くの場合他種のパチンコ機に兼用できないことから極めて不経済な状態にある。
ことにセット板は遊技盤に設置される入賞装置の全てをカバーする比較的大型な構造体であることに加えて、合成樹脂の成形品であることから大型の成形金型を準備する必要があり、これに伴って製造コストが必然的に高くなる問題があった。
【０００５】
従来、この様な問題を解決する方法としてセット板を複数に分割された部分の集合体から構成するようにして遊技盤に設置される入賞装置に対応させて上記分割された部分を選択し、その集合、組合せによって一つのセット板を完成させる分割組合せ方式が提案された（例えば特許文献１、特許文献２）。
【０００６】
【特許文献１】
特開昭６３ー６８１８８号公報  第１頁左欄特許請求の範囲の項、及び図面の第２図、第４図。
【特許文献２】
特許第２８０５０８０号公報  第４頁左欄第３９行目から右欄第２７行目、図面の第１図、第２図、第４図。
【０００７】
【発明が解決しようとする課題】
しかし、この分割組合せ方式は機種毎に部分同志の組合せを変えることで変化に対応できる利点がある反面、部分相互の連結を図る必要があり、これが設計上の制約となると共に、一つのセット板に仕立てるために正確に連結組合う連結手段を用意する必要がある。
【０００８】
また、前記特許文献２に記載されるように、現在利用されているセット板は入賞球の集合のみならず、背面部を利用して制御回路の基板等を付設する構造になっていることから入賞装置の変更等によってこれの制御回路基板が変りその大小の変更や取付け位置の変更、数の増減があった場合、この分割組合せ方式では充分に対応しきれない問題が生じる。
【０００９】
本発明は、この様な実情に鑑みその改善を目的として開発されたもので、パチンコ機の機種の変更、ことに遊技盤に設備される図柄表示装置や入賞装置の変更によって従来変えられていたセット板を、その前面側に備えられる球誘導通路を改善することによってセット板の前面側を全機種に対応できるものとして共通化し、図柄表示装置や入賞装置の変更に伴うこれらの制御回路基板等の変更についてのみ個別に設計を変更したセット板を用意することによってその製造性を高め、コストを下げると共にセット板の管理を容易にしたパチンコ機のセット板を提供するものである。
【００１０】
【課題を解決するための手段】
本発明は上述目的を達成するため、セット板の前面側には遊技盤の前面側において入賞装置が配置される領域の全てに対応するようにこの領域に亘って入賞球を受ける球誘導通路を配置し、これによって遊技盤の設計上個別化される入賞装置の配置位置、種類、数等の違いに影響されない共通化されたセット板を提供せんとするものである。
【００１１】
従って、本発明は遊技盤に設置される入賞装置や図柄表示装置、更にはこれらの装置の変更に伴って変更される表示ランプの点灯等の作動を制御する制御回路基板乃至回路収納ボックス類を取付ける取付部についてのみ変更し、この変更したセット板を準備することで機種の変更に対応することを可能とし、これによりセット板の製造並びに管理を容易にしたことにある。
【００１２】
更に本発明を詳述すると、本発明は平面板状をなすセット板主体の略中央部に遊技盤に装着される大型表示装着類の後部を貫き通す窓を開設する一方、該セット板主体の前面側に外周縁部に沿って外縁板を、また前記窓の開口縁部に沿って内縁板を相対立する如く立設して該前面側に前記窓を囲んで上下部の球誘導通路と左右両側部の球誘導通路とを環状をなすように形成し、他方前記セット板主体の背面側に適所に中継基板又は制御回路等の基板乃至回路収納ボックスを固定する取付部を一体に設けたことを特徴とするパチンコ機のセット板を提供することにある。
【００１３】
また本発明は、前記上部球誘導通路に臨む内縁板と下部球誘導通路に臨む外縁板のそれぞれを左右いずれかの方向に傾く下り勾配を付すことを特徴としたパチンコ機のセット板を提供することにある。
【００１４】
また本発明は、前記左右両側部の球誘導通路に入賞球の落下の一時障害となる障害部材を設けてなることを特徴としたパチンコ機のセット板を提供することにある。
そして、本発明は上記障害部材について、球誘導通路に対して着脱自由に取付けると共に、該障害部材を球誘導通路内に装置された状態において球の落下を妨げない範囲の横巾を有した板状小片にしてなることを特徴とするパチンコ機のセット板を提供することにある。
以下、更に本発明につき図示する実施について詳述し、その特徴とするところを明らかにする。
【００１５】
【発明の実施の形態】
【実施例１】
図１は本発明に係るセット板の正面図で、図２は背面図、図３はセット板を遊技盤の背面部に取付けたときの位置関係を説明する背面図である。
本発明に係るセット板１は従来から一般に実施されているものと同様に光透過性の合成樹脂を材料にして一体に成形されるもので、実際には、溶融した合成樹脂材料を射出成形機にセットする成形金型内に重点することによって全体を一時に成形するるものとしてある。
【００１６】
このセット板１は、平面な板状をなすセット板主体１ａを中心に構成されており、主体１ａの中心部には遊技盤２の中央部に設置され、遊技盤を貫く取付窓２ａを通して後方に突き出す大型の表示装置や入賞装置、例えば特定の入賞装置への入賞に伴って特定の入賞球受け入れ状態が発生したとき、その状態を表示するための可動図柄表示装置等の装置の後部を通す窓３が開設される。
【００１７】
そして、上記セット板主体１ａの下部中央部には遊技盤２の下部中央部に設置する大入賞口装置４の後部を逃すための切欠き部５が形成されている。
尚、上記大入賞口装置４は所定の条件の成立により前面の開閉板を前後に開閉作動するソレノイド、開閉板の開放により入賞した入賞球を検出するカウントスイッチ、特別の権利を付与するために特別入賞口へ入賞した球を検出する特別スイッチ、装飾ランプなどを備える。
【００１８】
このセット板主体１ａの前面側の外周縁部にはその上縁部と左右の側縁部に沿って上部並びに左右の外縁板６，７が連続した状態で形成されており、更に前記切欠き部５の縁に沿って門形に外縁板８を形成してこれらの外縁板によって主体１ａの前面側の周縁部を囲むようにしている。
そして同時に、前記中央部に開設した窓３を囲んで内縁板９を立ち上げ、前記各外縁板６，７，８とで窓３を囲むようにして環状の球誘導通路１０を形成している。
【００１９】
上記外縁板並びに内縁板は、遊技盤２から送られる入賞球を受け入れ集合させるためパチンコ球の直径を超える高さに形成し、またこれらの内外の縁板によって形成される球誘導通路１０は当然のことながら受け入れた入賞球を下方に誘導できる充分な幅を以って形成される。
【００２０】
そして、本発明ではセット板主体１ａを遊技盤２の前面に配置する全ての入賞装置（図示せず）の取付位置を包含できる広さにすると共に、その外周縁部に沿って形成する前記外縁板６，７，８により入賞装置からの入賞球を通す透孔１１（図３，図６を参照）を囲んで入賞装置に入賞する全ての入賞球を球誘導通路１０に受け入れられるようにしてある。
【００２１】
ところで、遊技盤に設置される入賞装置は、特殊なものを除いて一般的構造として前記可変図柄表示装置を設置する中央部を中心にしてその上方部と左右の両側部、及び下方部の４ヶ所にその取付位置が略特定されている。
【００２２】
これらのうち、上方部は所謂天入賞口が設けられる部所であり、両側部は左右に開閉する１対の翼片を作動させるソレノイドを備えたチューリップ形入賞装置やこの入賞装置を開放するために球検出スイッチを備えた始動入賞装置が設けられる部所であり、また下方部は図柄表示装置を始動させるための入賞球を検出する検出スイッチを備えた始動入賞装置が設けられる部所であって、これらは一種定形化されたものとなっている。
前記球誘導通路１０は窓３を囲む環状形をなすことによってこれらの入賞装置の設置位置をカバーすることになる。
【００２３】
図中、１２は球誘導通路１０の両側部に配置して入賞球の落下の一時障害となる障害部材であり、１３はこの障害部材１２を着脱自由に装着するための装着部である。
図５に拡大して示したように障害部材１２はここでは板状の小片から形成し、高さを内外の縁板７，９の高さに揃え、横幅を装着した状態において一方の縁板との間に入賞球を通すに充分な間隔が形成できる幅に形成してある。
【００２４】
一方、装着部１３は内外の縁板６，９の内側に２条の突条を並行に隆設することによって形成してあり、両突条間に前記障害部材１２の一側縁を嵌め入れることによって装着できるようにしてある。
そして、この障害部材１２を安定的に固定するためセット板主体１ａに小孔１４を穿って障害部材１２の他側縁の一端から延設する小突起部１２ａをこれに嵌合し、小片の両側縁を支持することによって安定化を図っている。
【００２５】
前記障害部材１２は、垂直に形成される左右の球誘導通路１０を誘導される入賞球の障害物となって急激な落下を緩和するためのものであり、球誘導通路１０に臨む入賞口の取付位置、つまり上下の取付位置の違いに従ってその装着位置を選択し、落下速度を緩和することになる。
【００２６】
そのため、この実施例では内外の縁板７，９に複数の装着部１３を間隔をおいて段設しており、また内外の縁板７，９の各装着部１３を上下方向に交互に位置をずらして設け、複数位置に障害を作る一方、双方の縁板に障害部材１２を置くことによって通路を蛇行させ、落下速度を緩和できるようにしてある。
【００２７】
尚、球誘導通路１０を形成する内縁板９の上部と切欠き部５を囲む門形の外縁板８は傾斜を付してあり、天入賞口及び始動用入賞口に入賞した球がこれらの縁板の上で滞留するのを防止している。
【００２８】
上記前面側に球誘導通路１０を形成したセット板１は、また背面側の適所に遊技盤前面に装備される表示ランプの点灯等を作動制御する制御回路基板乃至これらの基板を格納する回路収納ボックスを固定するための取付部１５や、前記制御回路基板、図柄制御装置、入賞装置の制御を行う遊技制御基板と、前記入賞装置、大入賞口装置、チューリップ形入賞装置等の検出スイッチ、ソレノイド及び遊技盤に設けられた図示しない表示灯やスピーカー等の各種電気部品とを中継接続するための接続端子を備えた中継基板１６，１７を備える。なお、ここにおいて中継接続端子はコネクタである。
【００２９】
取付部１５はここでは表示灯回路ボックス１８を立ち上げた状態で装着するためコ字形をした２つの受け部１５ａ，１５ａを上下に向い合せに設けており、受け部１５ａ，１５ａの間にボックス１８を挟み込むことによって取付けられるようにしてある。
【００３０】
そして、取付部１６はセット板主体１ａの背面部から４本のネジ受けボス１６ａを立ち上げ、表示灯の中継基板１９をそれぞれビス止めできるようにしてあり、また同様に取付部１７についてもネジ受けボス１７ａを立ち上げ、これに前記大入賞口装置の前記ソレノイド、スイッチランプ等のコネクタを備えたの中継基板２０を止め付けるようにしてある。
【００３１】
図中２１はセット板主体１ａの４隅に肉厚部を設けてこれを貫通するように形成した釘２２の打込み穴であり、セット板は遊技盤２の背面に添わせたのちこの打込み穴に釘２２を打込むことによって固定されることになる。
【００３２】
２３は、前記球誘導通路１０に臨む主体１ａの適所、ことに遊技盤２に設置される入賞装置に対応するところに合せて予め開設しておかれる配線を引き出すための透孔であり、入賞球を検出するスイッチや入賞装置の開閉翼片を作動させるソレノイド、遊技盤に設けられた表示灯等のコネクタを備えたリード線等を引き出すために用意されたものである。
【００３３】
また２４は、遊技盤２の左右に縦長に開設した表示灯取付用の穴で、盤の前面側からランプケースを添わせてランプ基板の配線をこの穴を通して後方に引き出すようにしてある。
そして、２５は前記大入賞口４を装着するため穿った穴で、２６はアウト球口に合せて穿った球通過孔である。
【００３４】
本発明のセット板１は上述の様に構成されるもので、図６に示したように窓２ａ、入賞球を通す透孔１１を開設し、前面側に表示装置や障害釘を始め入賞装置や表示灯，飾り部品類を取り付けた遊技盤２に対しその背面に添わせて４隅の穴２１に釘２２を打ち付けることによって固定される。
【００３５】
そして、図３に示したようにこのセット板によって入賞装置の透孔１１が開設される全ての範囲を被い、球誘導通路１０内に臨ませたところで、その背面側に設ける取付部１６，１７，１８に回路ボックス１８、中継基板１９，２０を固定し、更に図示しないがこれら回路ボックスと表示灯取付用穴２４に装着される表示灯、入賞装置の検出スイッチと中継基板１９のコネクタによる配線の接続、大入賞口装置４の扉を開閉操作するソレノイドと検出スイッチランプ等の中継基板２０のコネクタによる配線の接続を行い遊技盤の組立を完成させることになる。
【００３６】
尚、図７は前記図６に示した遊技盤２に対して天入賞口のための入賞球を通す透孔１１を窓２ａの上方に形成しないタイプの遊技盤を示したものである。ここでは窓２ａの下方中央部に設ける始動入賞装置のための透孔１１の左右に同様の始動入賞装置を設けるための透孔１１を新たに加えており、これらの全ての透孔１１を前記セット板１によってカバーし、その球誘導通路１０に臨ませることができるようにしてある。
【００３７】
【実施例２】
次に、図８はセット板主体１ａの背面に形成する回路基板等の取付部の変更例について示した他の実施例であり、遊技盤乃至パチンコ機の本体となる図示しない前枠（遊技盤を装着する機構枠体を始めとして打球発射装置や賞球装置等主要機器類を装備するものであって外枠に対して蝶番を介して開閉自由に蝶着支持される枠体）に装備する機器に対応させて取付部を増設した例である。
尚、図面中前記実施例と同一の部所については同一の符号を付してその説明を省略する。
【００３８】
この実施例では表示灯回路ボックス１８を装着する取付部１５の下方に、同じコ字形の取付枠２７ａ，２７ａを向い合せにした取付部２７を形成して音声回路ボックス２８を取付けるようにしてあり、この音声回路を介することによって特定入賞条件が揃ったときこれを報知する効果音を前記前枠に備えるスピーカー（図示せず）から発することができるようにしてある。
【００３９】
そして、主体１ａの背面左側部には前述した遊技制御基板たる縦長の制御基板２９を固定する４個のネジ受けボス３０ａからなる取付部３０を形成し、また下部にはソレノイド及び検出スイッチの中継基板３１を止める４個のネジ受けボス３２ａからなる取付部３２と、表示灯の中継基板３３を固定する４個のネジ受けボス３４ａを立設した取付部３４とを左右対称状に形成して前記第１の実施例と異なる制御基板，回路ボックスの取付けに対応できるものにしてある。
【００４０】
このセット板１は前述したものと同様に遊技盤の背面に添わせ、４隅に形成する穴２１に釘２２を通して打ち付けることで固定され、入賞装置に合せて形成される透孔１１（図示せず）を被うことになる。
【００４１】
以上本発明を図示の実施例につき説明したが、前述したように本発明に係るセット板１は前面側に遊技盤２に設置される入賞装置に対応する環状をなす球誘導通路１０を設ける構造にし、背面側の制御基板等の取付部１５及び各中継基板の取付部１６、１７、更には取付部２８、２９、３２、３４についてのみ遊技盤等に装備する機器に対応させて異なる構造としたことから従来遊技盤の設計の変更により機種が変るたびに個別にセット板を製造準備すると言ったことがなくなり、遊技盤に組付ける中継基板等の変更にのみ合せてその取付部を異にしたセット板を用意すれば足りることになった。
【００４２】
尚、前記環状の球誘導通路１０について上下、左右からの入賞球を集められるものであることを条件とするものであり、従って実質的に環状を保持するものであれば本発明の実施を妨げるものではない。例えば、図１において左下部に２点鎖線で表示したように縦の通路部１０ａを塞いでも、またセット板主体１ａの上縁部に沿う外縁板６を外しても本発明の実施は可能である。
【００４３】
【発明の効果】
従って、本発明によればパチンコ機の機種によって異なる遊技盤に合せて個別に専用のセット板を製造する必要がなく、遊技盤に備える入賞口等入賞装置の設置に無関係に背面側の取付部の相違にのみ対応させて個別のセット板を製造すればよいことから、製造管理が容易になる利点がある。
【００４４】
また、セット板前面側の球誘導通路を中心とした構造が共通化し、これによってこの前面側を形成する成形金型を全てのセット板の製造に共用することができ、金型の変更は構造を異にする背面側の成形金型についてのみ準備すればよいことから金型の製造が省略され、また併せてその保管，管理が省略されるため製造コストを大幅に削減できる利点がある。
【図面の簡単な説明】
【図１】本発明に係るセット板の正面図。
【図２】セット板の背面図。
【図３】遊技盤に添わせた状態を説明するセット板の背面図。
【図４】遊技盤に対するセット板の取付けを説明する図３の矢印Ａで示す部分の拡大縦断左側面図。
【図５】球誘導通路に装着される障害部材の取付状態を説明する部分の拡大斜視図。
【図６】遊技盤の正面図。
【図７】他の形態に係る遊技盤の正面図。
【図８】他の実施例におけるセット板の正面図である。
【符号の説明】
１                  セット板
１ａ                セット板主体
２                  遊技盤
３                  セット板主体の中央部に開設した窓
６，７，８          外縁板
９                  内縁板
１０                球誘導通路
１１                入賞球を通す透孔
１２                障害部材
１２ａ              小突起
１３                装着部
１４                穴
１５，１６，１７    取付部
１８                回路ボックス
１９，２０          中継基板
２１                穴
【図１】
2004147674.tif 000003
【図２】
2004147674.tif 000004
【図３】
2004147674.tif 000005
【図４】
2004147674.tif 000006
【図５】
2004147674.tif 000007
【図６】
2004147674.tif 000008
【図７】
2004147674.tif 000009
【図８】
2004147674.tif 000010